(57)【要約】【課題】効率的なゴルフクラブショットの練習を行うことのできるゴルフ練習台を提供する。【解決手段】ゴルフ練習台１を、繊維強化プラスチック製の練習台本体３と、この練習台本体３の上面５上に敷いた人工芝マット６と、人工芝マット６に隣接して又は接して練習台本体３の上面５上に載置したゴルフボール貯留具１１とから構成する。また、人工芝マット６を、足場用人工芝マット７と、この足場用人工芝マット７に隣接して練習台本体３の上面５上に敷いたボールセット用人工芝マット９とから構成しておく。【選択図】図１
0003181942.tif 000002
【実用新案登録請求の範囲】
【請求項１】
ゴルフ練習台であって、
上面が傾斜している練習台本体と、この練習台本体の前記上面に敷かれた人工芝マットと、前記練習台本体の前記上面に載せられたゴルフボール貯留具と、を備え、
前記人工芝マットは、練習者が乗るための足場用人工芝マットと、この足場用人工芝マットよりも芝葉が長い、ゴルフボールをセットするためのボールセット用人工芝マットと、を有していて、
前記ゴルフボール貯留具は、前記人工芝マットを前記練習台本体の前記上面に敷いたときの上面露出個所に収まるように配置されている、ことを特徴とするゴルフ練習台。
【請求項２】
前記練習台本体の前記上面は正方形状に形成され、前記足場用人工芝マット及び前記ボールセット用人工芝マットは、前記上面の一つの隅部を前記上面露出個所として前記上面上に敷かれ、前記ゴルフボール貯留具は前記上面の前記隅部に載せられている、ことを特徴とする請求項１記載のゴルフ練習台。
【請求項３】
前記練習台本体には、前記上面の周縁に沿って延びる突部が形成されている、ことを特徴とする請求項１又は２記載のゴルフ練習台。
【請求項４】
前記練習台本体は、２つの練習台部材を組み合わせることにより構成されている、ことを特徴とする請求項１、２又は３記載のゴルフ練習台。
【請求項５】
ゴルフ練習台であって、
正方形状の傾斜した上面を有する練習台本体と、この練習台本体の前記上面に敷かれた人工芝マットと、前記練習台本体の前記上面に載せられたゴルフボール貯留具と、を備え、
前記人工芝マットは、練習者が乗るための足場用人工芝マットと、この足場用人工芝マットよりも芝葉が長い、ゴルフボールをセットするためのボールセット用人工芝マットと、を有していて、
前記ゴルフボール貯留具は前記練習台本体の前記上面の第１の隅部に載せられ、前記ボールセット用人工芝マットは、前記第１の隅部の隣りに位置する前記上面の第２の隅部と前記ゴルフボール貯留具との間に敷かれ、前記足場用人工芝マットは、前記ボールセット用人工芝マット及び前記ゴルフボール貯留具に隣接して敷かれている、ことを特徴とするゴルフ練習台。
【考案の詳細な説明】
【技術分野】
【０００１】
本考案は、傾斜面でのゴルフショットを練習するためのゴルフ練習台に関する。
【背景技術】
【０００２】
傾斜面でのゴルフショットを練習するためのゴルフ練習台としては例えば特許文献１に記載されたものが知られている。このゴルフ練習台では、練習台本体の載置板上面全体に芝丈の低い足場用人工芝が設けられていて、この足場用人工芝上に練習者が乗って傾斜面でのゴルフショットを練習する。練習者が足場用人工芝上の乗る位置を変更することにより、左上がり、左下がり、つま先上がり及びつま先下がりそれぞれでのゴルフクラブショットを練習することができる。また、足場用人工芝には、ゴルフボールを載せてセットする位置に対応して、芝丈の高いラフ状態と芝丈の低いフェアウェイ状態とを切り替えることができる切り替え機構も構成されていて、ゴルフボールを載せる位置の芝丈状態を切り替え機構により設定してゴルフクラブショットの練習を行えるようになっている。
【先行技術文献】
【特許文献】
【０００３】
【特許文献１】実開平１−１３５９７３号公報
【考案の概要】
【考案が解決しようとする課題】
【０００４】
しかしながら、特許文献１のゴルフ練習台では、ゴルフボールをショットするごとに練習台を降りるなどしてゴルフボールをセット位置に運ばなくてはならないので効率的な練習を行うことができない。
【０００５】
そこで本考案は、効率的なゴルフクラブショットの練習を行うことのできるゴルフ練習台の提供を目的とする。
【課題を解決するための手段】
【０００６】
この目的を達成するための本考案のゴルフ練習台は、ゴルフ練習台であって、上面が傾斜している練習台本体と、この練習台本体の前記上面に敷かれた人工芝マットと、前記練習台本体の前記上面に載せられたゴルフボール貯留具と、を備え、前記人工芝マットは、練習者が乗るための足場用人工芝マットと、この足場用人工芝マットよりも芝葉が長い、ゴルフボールを載せてセットするためのボールセット用人工芝マットと、を有していて、前記ゴルフボール貯留具は、前記人工芝マットを前記練習台本体の前記上面に敷いたときの上面露出個所（人工芝マットが敷かれていない個所）に収まるように配置されているものである。ゴルフボール貯留具は人工芝マットに当接して移動しにくい状態となっているので、あるいは人工芝マットによって移動（例えば大きく移動）しにくいので、練習者はゴルフクラブのクラブヘッドを用いてゴルフボール貯留具から簡単にゴルフボールを取り出すことができる。また、ボールセット用人工芝マットがゴルフボール貯留具に隣接していれば、ゴルフボール貯留具からゴルフボールを取り出し、直接、セット用人工芝マット上にゴルフボールを載せることができるので、ゴルフボール貯留具から取り出したゴルフボールが練習台上から転がり落ちるといったおそれはない。上面露出個所は例えばゴルフボール貯留具と等しい又はほぼ等しい形・大きさとなる。
【０００７】
練習台本体の上面を正方形状に形成しておき、足場用人工芝マット及びボールセット用人工芝マットを、上面の一つの隅部が上面露出個所となるように上面上に敷き、ゴルフボール貯留具を上面の前記隅部に配置するように構成すれば、足場用人工芝マット、ボールセット用人工芝マット及びゴルフボール貯留具を、左上がり、左下がり、つま先上がり及びつま先下がり用として最適な位置にそれぞれ配置することができる。
【０００８】
練習台本体に上面の周縁に沿って延びる突部を形成して足場用人工芝マット、ボールセット用人工芝マット及びゴルフボール貯留具のストッパとして機能させることが効果的である。また、持ち運び又は移動が容易なように、練習台本体を２つの練習台部材の組み合わせによって構成することができる。
【０００９】
また、本考案のゴルフ練習台は、ゴルフ練習台であって、正方形状の傾斜した上面を有する練習台本体と、この練習台本体の前記上面に敷かれた人工芝マットと、前記練習台本体の前記上面に載せられたゴルフボール貯留具と、を備え、前記人工芝マットは、練習者が乗るための足場用人工芝マットと、この足場用人工芝マットよりも芝葉が長い、ゴルフボールをセットするためのボールセット用人工芝マットと、を有していて、前記ゴルフボール貯留具は前記練習台本体の前記上面の第１の隅部に載せられ、前記ボールセット用人工芝マットは、前記第１の隅部の隣りに位置する又は前記第１の隅部に隣接する前記上面の第２の隅部と前記ゴルフボール貯留具との間に、例えば第２の隅部を覆って、敷かれ、前記足場用人工芝マットは、前記ボールセット用人工芝マット及び前記ゴルフボール貯留具に隣接して敷かれているものとすることもできる。
【考案の効果】
【００１０】
本考案のゴルフ練習台では、ショットの後にゴルフボールを連続的にボールセット用人工芝マット上にセットしてゴルフの練習を行うことができる。
【図面の簡単な説明】
【００１１】
【図１】本考案に係るゴルフ練習台の分解斜視図である。
【図２】足場用人工芝マットの側面図である。
【図３】ボールセット用人工芝マットの側面図である。
【図４】ゴルフ練習台の斜視図である。
【図５】ゴルフ練習台の使用状態を示す図である。
【図６】人工芝マット及びゴルフボール貯留具の配置状態の第１の変更例を示す図である。
【図７】人工芝マット及びゴルフボール貯留具の配置状態の第２の変更例を示す図である。
【図８】人工芝マット及びゴルフボール貯留具の配置状態の第３の変更例を示す図である。
【考案を実施するための形態】
【００１２】
以下、図面を参照して本考案の実施の形態を説明する。
【００１３】
まず、図１乃至図４を参照して本考案に係るゴルフ練習台の構成を説明する。
【００１４】
ゴルフ練習台１は、繊維強化プラスチック製の練習台本体３と、この練習台本体３の上面５上に敷かれた人工芝マット６と、人工芝マット６に隣接して練習台本体３の上面５上に載置されたゴルフボール貯留具１１と、を備えている。人工芝マット６は、足場用人工芝マット７と、この足場用人工芝マット７に隣接して練習台本体３の上面５上に敷かれたボールセット用人工芝マット９と、を有している。
【００１５】
練習台本体３は、一対の半分に割られた形状の練習台部材１３を組み合わせることにより構成されている。それぞれの練習台部材１３は、下面開口（図示せず）の中空体であり、正方形の半分の長方形状の上面１５を有していて、練習台部材１３には、長方形状の上面１５の両短辺縁及び一方の長辺縁に沿って突部１７が形成されている。それぞれの練習台部材１３の長方形状の上面１５は長手方向に８度又は約８度傾斜して延びている。このような構成の練習台部材１３を、突部１７が形成されていない側を内側として突き合わせ、組み合わせることにより、８度又は約８度の角度で傾斜している正方形状の上面５を有し、この上面５の全周にわたって延びる突部２１を有する練習台本体３が構成される。
【００１６】
足場用人工芝マット７は、長辺縁の長さが練習台本体３の上面５の一辺縁の長さと同一又はほぼ同一で、短辺縁の長さが練習台本体３の上面５の一辺縁の長さよりも短い長方形状に形成されていて、図２に示すように、裏面に滑り止め用のスポンジ２２を設けた合成樹脂製基布２３に合成樹脂製パイル糸２５を植え付けて芝葉２７を形成した構造を有している。また、ボールセット用人工芝マット９は、短辺縁の長さが練習台本体３の上面５の一辺縁の長さから足場用人工芝マット７の短辺縁の長さを引いた長さと同一又はほぼ同一で、長辺縁の長さが練習台本体３の上面５の一辺縁の長さからセット用人工芝マット９の短辺縁の長さを引いた長さと同一又はほぼ同一の長方形状に形成されていて、図３に示すように、裏面に滑り止め用のスポンジ３０を形成した合成樹脂製基布２９に合成樹脂製パイル糸３１を植え付けて芝葉３３を形成した構造を有しているが、芝葉３３は芝葉２７よりも長く形成されていて、ボールセット用人工芝マット９は足場用人工芝マット７よりも芝丈が高くなっている。
【００１７】
ゴルフボール貯留具１１は、一辺縁の長さがセット用人工芝マット９の短辺縁の長さと同一又はほぼ同一の正方形状の浅いゴム製容器体であり、正方形状の底面部３５の周縁に周壁部３７又は低い周壁部３７を一体的に形成したものである。なお、ゴルフボール貯留具１１の裏面にも滑り止め用のスポンジを形成してもよい。
【００１８】
このような構成のゴルフ練習台１は、図４に示すように、足場用人工芝マット７を、図上左側（矢印X方向からみて左側）に寄せて練習台本体３の上面５上に敷き、ボールセット用人工芝マット９を、足場用人工芝マット７の右側（矢印X方向からみて右側）で上側（高い側）に寄せて練習台本体３の上面５上に敷き、ゴルフボール貯留具１１を、上面５の右下（右の低い側）隅部（第１の隅部、右上隅部が第２の隅部）に形成された正方形状の上面露出個所（ゴルフボール貯留具１１と大きさが等しい又はほぼ等しい）上に載せて使用する。ここでは、図５に示すように、練習者Aが足場用人工芝マット７上に乗り、ゴルフボール貯留具１１からクラブヘッドBを利用してボールセット用人工芝マット９上に運び出したゴルフボールCを打つこととなり、左上がりのライの練習を行うことができる。なお、ボールセット用人工芝マット９を、足場用人工芝マット７の右側で下側（低い側）に寄せて練習台本体３の上面５上に載せ、ゴルフボール貯留具１１を、上面５の右上（右の高い側）隅部に形成された正方形状の上面露出個所上に載せて使用することにより、左利きの練習者が右下がりのライの練習を行うことができる。
【００１９】
ゴルフ練習台１ではまた、図６に示すように、足場用人工芝マット７を、図上下側に寄せて練習台本体３の上面５上に載せ、ボールセット用人工芝マット９を、足場用人工芝マット７の上側で左側に寄せて練習台本体３の上面５上に載せ、ゴルフボール貯留具１１を、上面５の右上隅部（第１の隅部、左上隅部が第２の隅部）に形成された正方形状の上面露出個所上に載せて使用することができる。ここで、練習者Ａが足場用人工芝マット７上に乗り、ゴルフボール貯留具１１からクラブヘッドＢを利用してボールセット用人工芝マット９上に運び出したゴルフボールＣを打つことにより、つま先上がりのライの練習を行うことができる。なお、ボールセット用人工芝マット９を、足場用人工芝マット７の上側で右側に寄せて練習台本体３の上面５上に載せ、ゴルフボール貯留具１１を、上面５の左上隅部に形成された正方形状の上面露出個所上に載せて使用することにより、左利きの練習者がつま先上がりのライの練習を行うことができる。
【００２０】
ゴルフ練習台１ではさらに、図７に示すように、足場用人工芝マット７を、図上右側に寄せて練習台３の上面５上に載せ、ボールセット用人工芝マット９を、足場用人工芝マット７の左側で下側に寄せて練習台３の上面５上に載せ、ゴルフボール貯留具１１を、上面５の左上隅部（第１の隅部、左下隅部が第２の隅部）に形成された正方形状の上面露出個所上に載せて使用することができる。ここで、練習者Ａが足場用人工芝マット７上に乗り、ゴルフボール貯留具１１からクラブヘッドＢを利用してボールセット用人工芝マット９上に運び出したゴルフボールＣを打つことにより、左下がりのライの練習を行うことができる。なお、ボールセット用人工芝マット９を、足場用人工芝マット７の左側で上側に寄せて練習台本体３の上面５上に載せ、ゴルフボール貯留具１１を、上面５の左下隅部に形成された正方形状の上面露出個所上に載せて使用することにより、左利きの練習者が右上がりのライの練習を行うことができる。
【００２１】
ゴルフ練習台１ではまた、図８に示すように、足場用人工芝マット７を、上側に寄せて練習台本体３の上面５上に載せ、ボールセット用人工芝マット９を、足場用人工芝マット７の下側で右側に寄せて練習台本体３の上面５上に載せ、ゴルフボール貯留具１１を、上面５の左下隅部（第１の隅部、右下隅部が第２の隅部）に形成された正方形状の上面露出個所上に載せて使用することができる。ここで、練習者Ａが足場用人工芝マット７上に乗り、ゴルフボール貯留具１１からクラブヘッドＢを利用してボールセット用人工芝マット９上に運び出したゴルフボールＢを打つことにより、つま先下がりのライの練習を行うことができる。なお、ボールセット用人工芝マット９を、足場用人工芝マット７の下側で左側に寄せて練習台本体３の上面５上に載せ、ゴルフボール貯留具１１を、上面５の右下隅部に形成された正方形状の上面露出個所上に載せて使用することにより、左利きの練習者がつま先下がりのライの練習を行うことができる。
【産業上の利用可能性】
【００２２】
本考案のゴルフ練習台は例えばゴルフ練習場で使用することができる。
【符号の説明】
【００２３】
１                      ゴルフ練習台
３                      練習台本体
５                      上面
６                      人工芝マット
７                      足場用人工芝マット
９                      ボールセット用人工芝マット
１１                    ゴルフボール貯留具
【図１】
0003181942.tif 000003
【図２】
0003181942.tif 000004
【図３】
0003181942.tif 000005
【図４】
0003181942.tif 000006
【図５】
0003181942.tif 000007
【図６】
0003181942.tif 000008
【図７】
0003181942.tif 000009
【図８】
0003181942.tif 000010